(57)【要約】【課題】消費電力測定器（タップ）に未接続の機器の消費電力をユーザが容易に確認できる技術を提供する。【解決手段】表示装置３０は、１以上の機器の電力使用状況を表示する。ＣＴセンサ７０は、分電盤６０からコンセント９０へ供給する供給電力を測定する。電力測定装置８０は、ＣＴセンサ７０の測定結果を受け付けて、中継装置１０へ送信する。表示装置３０は、分電盤６０から供給される電力の電力値を、中継装置１０を経由して電力測定装置８０から取得する。表示装置３０は、タップ２０が測定する家電機器５の消費電力の測定結果を取得する。表示装置３０は、分電盤６０から供給される電力の電力値と、タップ２０の測定結果との差分に基づいて、タップ２０に未接続の機器の消費電力を算出する。表示装置３０は、タップ２０に未接続の機器の消費電力をディスプレイ３６１に表示する。【選択図】図１
2014055798.tif 000002
【特許請求の範囲】
【請求項１】
１以上の機器の電力使用状況を表示する表示装置であって、
前記機器が配置される施設の分電盤から供給される電力の電力値を取得する第１の取得部と、
前記機器に接続されて、当該機器の消費電力を測定する消費電力測定器の測定結果を取得する第２の取得部と、
前記第１の取得部が取得した電力値と、前記第２の取得部が取得した測定結果との差分に基づいて、前記施設において前記消費電力測定器に未接続の機器の消費電力を示す電力情報を算出する算出部と、
前記電力情報に基づいて、前記消費電力測定器に未接続の機器の消費電力をモニタに表示する表示制御部とを備える、
表示装置。
【請求項２】
前記表示制御部は、前記消費電力測定器に未接続の機器の消費電力と、前記消費電力測定器に接続される機器の消費電力とを前記モニタに表示する、
請求項１記載の表示装置。
【請求項３】
前記表示制御部は、前記消費電力測定器に未接続の機器の消費電力と、前記消費電力測定器に接続される機器の消費電力とを、消費電力の大きさに従った順に整列させて前記モニタに表示する、
請求項２記載の表示装置。
【請求項４】
前記表示制御部は、前記第１の取得部が取得した前記分電盤から供給される電力の電力値を前記モニタに表示する、
請求項１記載の表示装置。
【請求項５】
前記第１の取得部は、前記分電盤に取り付けられる複数のブレーカそれぞれについて、前記電力値を取得し、
前記第２の取得部は、前記ブレーカそれぞれについて、前記ブレーカと対応する前記機器の消費電力を測定し、
前記算出部は、第１の取得部で取得されるブレーカごとの電力値と、第２の取得部で取得されるブレーカごとの測定結果との差分に基づいて、ブレーカそれぞれについて、前記消費電力測定器に未接続の機器の消費電力を測定し、
前記表示制御部は、ブレーカそれぞれについて、前記消費電力測定器に未接続の機器の消費電力をモニタに表示する、
請求項１記載の表示装置。
【請求項６】
前記表示制御部は、前記消費電力測定器に未接続の機器と、前記消費電力測定器に接続される機器とを、ブレーカそれぞれについて消費電力の大きさに従った順に整列させてブレーカごとに各機器の消費電力を前記モニタに表示する、
請求項５記載の表示装置。
【請求項７】
前記表示制御部は、前記算出部が算出する前記消費電力測定器に未接続の機器の消費電力の大きさに応じて、前記消費電力測定器に接続する機器の構成を変更するための画面を前記モニタに表示させる、
請求項１記載の表示装置。
【請求項８】
前記表示制御部は、前記消費電力測定器を前記施設に追加するための画面表示を前記モニタに表示させる、
請求項７記載の表示装置。
【請求項９】
前記表示制御部は、前記消費電力測定器に接続する機器を変更するための画面表示を前記モニタに表示させる、
請求項７記載の表示装置。
【請求項１０】
前記表示制御部は、前記消費電力測定器に未接続の機器を示す画像を表示して前記未接続の機器の消費電力を表示しており、
前記表示装置は、前記画像を変更するための操作を受け付ける操作部をさらに含む、
請求項１記載の表示装置。
【請求項１１】
表示装置が１以上の機器の電力使用状況を表示するための方法であって、
前記機器が配置される施設の分電盤から供給される電力の電力値を取得するステップと、
前記機器に接続されて、当該機器の消費電力を測定する消費電力測定器の測定結果を取得するステップと、
前記ステップにおいて取得した電力値と、前記測定結果との差分に基づいて、前記施設において前記消費電力測定器に未接続の機器の消費電力を示す電力情報を算出するステップと、
前記電力情報に基づいて、前記消費電力測定器に未接続の機器の消費電力をモニタに表示するステップとを含む、
方法。
【請求項１２】
表示装置が１以上の機器の電力使用状況を表示する処理を制御するためのプログラムであって、前記表示装置は、プロセッサと、メモリとを備え、
前記プログラムは、前記プロセッサに、
前記機器が配置される施設の分電盤から供給される電力の電力値を取得するステップと、
前記機器に接続されて、当該機器の消費電力を測定する消費電力測定器の測定結果を取得するステップと、
前記ステップにおいて取得された電力値と、前記測定結果との差分に基づいて、前記施設において前記消費電力測定器に未接続の機器の消費電力を示す電力情報を算出するステップと、
前記電力情報に基づいて、前記消費電力測定器に未接続の機器の消費電力をモニタに表示するステップとを実行させる、
プログラム。
【発明の詳細な説明】
【技術分野】
【０００１】
本発明は、機器の電力使用状況を表示する装置に関し、特に、ユーザの利便性を向上させるための技術に関する。
【背景技術】
【０００２】
近年、家庭内の様々な機器をネットワークで接続するホームネットワークシステムが普及している。例えば、特開２０１１−２２１５６号公報（特許文献１）は、機器状態検知装置が、給電線につながる機器の稼働状態を高い精度で検出する技術を開示する。これにより、ユーザは、各機器の電力使用状況を把握することができ、節電など電力の使用を容易に管理することができる。
【０００３】
電力使用状況をユーザが管理するためのシステムは、例えば、複数の消費電力測定器（以下、「タップ」とも言う）と、制御装置と、表示装置とから構成される。各タップは、コンセントに接続されるとともに、このタップに接続される機器の消費電力などを測定する。各タップは、タップに接続される機器の消費電力などの電力情報を、制御装置へ送信する。制御装置は、これら複数のタップと通信することで各タップを制御し、各タップの消費電力の測定結果を受信する。表示装置は、制御装置と通信することで、各タップと接続される機器の電力使用状況を、逐次、取得し、取得した電力使用状況を、例えばタップに接続される機器ごとにリアルタイムにディスプレイに表示する。
【０００４】
ユーザは、このような構成を備えるシステムを利用することで、各タップに接続される機器の電力使用状況を容易に確認することができる。例えば、ユーザは、節電を意図した場合に、各タップに接続される機器のいずれの使用を制限すると節電効果が高いか、容易に把握することができる。
【先行技術文献】
【特許文献】
【０００５】
【特許文献１】特開２０１１−２２１５６号公報
【発明の概要】
【発明が解決しようとする課題】
【０００６】
しかし、上記のシステムにおいては、全ての機器に対してタップを用意できるとは限らないため、ユーザは、これらタップに未接続の機器の電力使用状況を把握することができない場合がある。例えば、ユーザが節電を意識したとしても、ユーザは、節電効果が大きい機器が、タップに接続されている機器か、タップに接続されていない機器かを特定することが困難となる。このように、タップに接続されていない機器の電力使用状況を、ユーザが容易に把握できるようにする技術が必要とされている。
【課題を解決するための手段】
【０００７】
一実施形態に従う表示装置は、１以上の機器の電力使用状況を表示するものであり、機器が配置される施設の分電盤から供給される電力の電力値を取得する第１の取得部と、機器に接続されて、機器の消費電力を測定する消費電力測定器の測定結果を取得する第２の取得部と、第１の取得部が取得した電力値と、第２の取得部が取得した測定結果との差分に基づいて、施設において消費電力測定器に未接続の機器の消費電力を示す電力情報を算出する算出部と、電力情報に基づいて、消費電力測定器に未接続の機器の消費電力をモニタに表示する表示制御部とを備える。
【０００８】
好ましくは、表示制御部は、消費電力測定器に未接続の機器の消費電力と、消費電力測定器に接続される機器の消費電力とをモニタに表示することとしてもよい。
【０００９】
好ましくは、表示制御部は、消費電力測定器に未接続の機器の消費電力と、消費電力測定器に接続される機器の消費電力とを、消費電力の大きさに従った順に整列させてモニタに表示することとしてもよい。
【００１０】
好ましくは、表示制御部は、第１の取得部が取得した分電盤から供給される電力の電力値をモニタに表示することとしてもよい。
【００１１】
好ましくは、第１の取得部は、分電盤に取り付けられる複数のブレーカそれぞれについて、電力値を取得し、第２の取得部は、ブレーカそれぞれについて、ブレーカと対応する機器の消費電力を測定し、算出部は、第１の取得部で取得されるブレーカごとの電力値と、第２の取得部で取得されるブレーカごとの測定結果との差分に基づいて、ブレーカそれぞれについて、消費電力測定器に未接続の機器の消費電力を測定し、表示制御部は、ブレーカそれぞれについて、消費電力測定器に未接続の機器の消費電力をモニタに表示することとしてもよい。
【００１２】
好ましくは、表示制御部は、消費電力測定器に未接続の機器と、消費電力測定器に接続される機器とを、ブレーカそれぞれについて消費電力の大きさに従った順に整列させてブレーカごとに各機器の消費電力をモニタに表示することとしてもよい。
【００１３】
好ましくは、表示制御部は、算出部が算出する消費電力測定器に未接続の機器の消費電力の大きさに応じて、消費電力測定器に接続する機器の構成を変更するための画面をモニタに表示させることとしてもよい。
【００１４】
好ましくは、表示制御部は、消費電力測定器を施設に追加するための画面表示をモニタに表示させることとしてもよい。
【００１５】
好ましくは、表示制御部は、消費電力測定器に接続する機器を変更するための画面表示をモニタに表示させることとしてもよい。
【００１６】
好ましくは、表示制御部は、消費電力測定器に未接続の機器を示す画像を表示して未接続の機器の消費電力を表示しており、表示装置は、画像を変更するための操作を受け付ける操作部をさらに含むこととしてもよい。
【００１７】
別の実施形態に従うと、表示装置が１以上の機器の電力使用状況を表示するための方法が提供される。この方法は、表示装置が、機器が配置される施設の分電盤から供給される電力の電力値を取得するステップと、機器に接続されて、機器の消費電力を測定する消費電力測定器の測定結果を取得するステップと、ステップにおいて取得した電力値と、測定結果との差分に基づいて、施設において消費電力測定器に未接続の機器の消費電力を示す電力情報を算出するステップと、電力情報に基づいて、消費電力測定器に未接続の機器の消費電力をモニタに表示するステップとを含む。
【００１８】
別の実施形態に従うと、表示装置が１以上の機器の電力使用状況を表示する処理を制御するためのプログラムが提供される。表示装置は、プロセッサと、メモリとを備える。プログラムは、プロセッサに、機器が配置される施設の分電盤から供給される電力の電力値を取得するステップと、機器に接続されて、機器の消費電力を測定する消費電力測定器の測定結果を取得するステップと、ステップにおいて取得された電力値と、測定結果との差分に基づいて、施設において消費電力測定器に未接続の機器の消費電力を示す電力情報を算出するステップと、電力情報に基づいて、消費電力測定器に未接続の機器の消費電力をモニタに表示するステップとを実行させる。
【発明の効果】
【００１９】
上記一実施形態によると、ユーザは、タップで検出される機器以外の機器についても消費電力を容易に把握することができる。
【００２０】
この発明の上記および他の目的、特徴、局面および利点は、添付の図面と関連して理解されるこの発明に関する次の詳細な説明から明らかとなるであろう。
【図面の簡単な説明】
【００２１】
【図１】実施の形態の表示装置を含むネットワークの構成を示す図である。
【図２】中継器１０のブロック図である。
【図３】タップ２０のハードウェア構成を表した図である。
【図４】表示装置３０のハードウェア構成を表した図である。
【図５】電力測定装置８０のハードウェア構成を示す図である。
【図６】分電盤電力測定情報１１０を示す図である。
【図７】部屋識別テーブル１２０を示す図である。
【図８】消費電力管理テーブル１３０を示す図である。
【図９】ネットワークＰおよびネットワークＱにおけるシーケンスチャートである。
【図１０】電力測定装置８０から表示装置３０へ、各ブレーカの電力をレポートする動作を示すシーケンスチャートである。
【図１１】表示装置３０が、タップ２０に接続される機器の消費電力と、タップ２０に未接続の機器の消費電力とを表示するための処理を示すフローチャートである。
【図１２】表示装置３０のディスプレイ３６１の表示例を示す図である。
【図１３】タップ２０に未接続の機器の画像を変更するための操作画面の例を示す図である。
【図１４】表示装置３０が、ユーザに対しタップ２０に接続される機器の設定が効率的であるか判定する処理を示すフローチャートである。
【図１５】一定期間の消費電力の履歴に応じてタップ２０の再設定を促す画面の表示例を示す図である。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
＜１．１  ネットワークの構成＞
図１は、実施の形態の表示装置を含むネットワークの構成を示す図である。このネットワークは、例えば家庭内に設置される各機器を通信可能に接続することで構成され、ネットワークＰと、ネットワークＱと、電力測定装置８０とから構成される。家庭内の各機器は、分電盤６０から供給される電力によって動作する。分電盤６０は、図示しない配電盤から供給される電力を、各部屋に配置されるコンセント９０Ａ、コンセント９０Ｂ、コンセント９０Ｃ等（以下、これらコンセント９０Ａ等を総称して、複数のコンセントを「コンセント９０」ということもある）に接続される機器へ、配線を通じて供給する。この配線は、分電盤６０のブレーカーごとに設けられている。分電盤６０は、アンペアブレーカー、漏電遮断器、配線用遮断器等を備え、過剰な電流や漏電等を防止する機能を発揮する。
【００２４】
図１に示すＣＴ（Current  Transformer）センサ７０Ａ、ＣＴセンサ７０Ｂ、ＣＴセンサ７０Ｃ（以下、これら複数のＣＴセンサを「センサ７０」ということもある）は、分電盤６０から各部屋のコンセント９０のそれぞれへ電力を供給するための配線ごとに設置され、この配線を流れる電流を測定し、測定結果を電力測定装置８０へ出力する。電力測定装置８０は、ＣＴセンサ７０それぞれの出力を受け付けて、分電盤６０から各部屋のコンセント９０それぞれへ供給される電力の測定値を、それぞれの配線について算出し、算出結果を中継器１０へ無線通信によって送信する。
【００２５】
ネットワークＰは、低速無線通信ネットワークを構成し、主として各家電機器の電力使用状況を収集するために各機器が接続される。本実施形態では、例えば、ネットワークＰを構成する機器は、ＩＥＥＥ（The  Institute  of  Electrical  and  Electronic  Engineers）８０２．１５．４（ＺｉｇＢｅｅ）規格に従った通信を実施する。ネットワークＰは、複数の機器によって構成されており、中継器１０と、タップ２０Ａ、２０Ｂ、２０Ｃ（以下、これら複数のタップを総称して「タップ２０」ということもある）と、タップ２０のそれぞれと接続される家電機器５Ａ、家電機器５Ｂ、家電機器５Ｃ（以下、これら複数の家電機器を総称して「家電機器５」ということもある）等を含む。
【００２６】
家電機器５のそれぞれは、電源プラグ６Ａ、電源プラグ６Ｂ、電源プラグ６Ｃ（以下、家電機器５に備わる電源プラグを総称して「電源プラグ６」ということもある）を備えており、電源プラグ６がタップ２０のソケットに差し込まれることで、家電機器５とタップ２０とが接続する。本実施形態では、家電機器５Ａは、エアーコンディショナーであり、家電機器５Ｂは、冷蔵庫であり、家電機器５Ｃは、テレビである。
【００２７】
タップ２０のそれぞれは、各々に接続される各家電機器の消費電力を測定する消費電力測定器であり、消費電力の測定結果を、中継器１０へ無線通信によって送信する。図１の例では、タップ２０Ａは、家電機器５Ａ（エアーコンディショナー）の消費電力を測定する。タップ２０は、図１で図示しないプラグを備え、ネットワークＰ内のコンセント９０と接続する。コンセント９０それぞれは、各々に接続される機器に、分電盤６０からの給電電力を供給する。タップ２０に接続される各家電機器は、タップ２０とコンセント９０とが接続することで、分電盤６０から給電される。
【００２８】
中継器１０は、タップ２０の動作を管理しており、タップ２０それぞれから、各家電機器の消費電力の測定結果を受信して記憶する。中継器１０は、ネットワークＰの他に、後述するネットワークＱにも含まれており、ネットワークＱを構成する表示装置３０、パーソナルコンピュータ５０等とも通信する。この通信によって、中継器１０は、タップ２０が測定する各家電機器の消費電力の測定結果を表示装置３０等へ送信する。
【００２９】
表示装置３０は、中継器１０から受信する各家電機器の消費電力の測定結果に基づいて、各家電機器の電力使用状況をモニタに表示する。
【００３０】
ネットワークＱは、高速通信ネットワークを構成し、主として各家電機器の電力使用状況をユーザへ提示するために各機器が通信する。また、ネットワークＱを構成する機器は、Ｅｔｈｅｒｎｅｔ（登録商標）規格、ＷｉＦｉ（登録商標）規格、またはこれらの組み合わせに従った通信を実施する。ネットワークＱは、複数の機器によって構成されており、中継器１０と、表示装置３０と、ルータ４０と、パーソナルコンピュータ５０とを含む。
【００３１】
中継器１０は、ＨＴＴＰ（Hyper  Text  Transfer  Protocol）サーバ機能を有する。中継器１０および複数のタップ２０の各々は、低速無線通信モジュールを備え、複数のタップ２０との間で低速度の無線通信を行なう。また、中継器１０は、Ｅｔｈｅｒｎｅｔ（登録商標）によりルータ４０に接続されている。中継器１０は、ネットワークＰとネットワークＱとのブリッジ（媒体変換装置）あるいはゲートウェイ（プロトコル変換装置）として機能する。
【００３２】
ネットワークＱにおいて、ルータ４０は、インターネットに接続されている。パーソナルコンピュータ５０は、Ｅｔｈｅｒｎｅｔ（登録商標）またはＷｉＦｉ規格に従った通信機能を有しており、ルータ４０と接続する。パーソナルコンピュータ５０は、ブラウザ（ＨＴＴＰクライアント）が動作する一般的なパソコンである。パーソナルコンピュータ５０は、パーソナルコンピュータ５０のブラウザ（ＨＴＴＰクライアント）を経由して中継器１０のＨＴＴＰサーバと通信する。中継器１０のＨＴＴＰサーバは、設定用ＣＧＩ（Common  Gateway  Interface）プログラムを呼び出すことによって、中継器自身の設定情報を取得し、また、設定できるように構成されている。このようにして、パーソナルコンピュータ５０は、中継器１０の通信設定などを行なうことができる。ユーザは、中継装置１０に備わる入力装置の機能に制約がある場合であっても、このＨＴＴＰサーバとブラウザ（ＨＴＴＰクライアント）の働きによって、複雑な設定を容易に行なうことができる。
【００３３】
表示装置３０は、ＷｉＦｉ規格に従ってルータ４０と通信接続し、ルータ４０の通信制御に従って、中継器１０と通信する。なお、表示装置３０は、Ｅｔｈｅｒｎｅｔ（登録商標）により、ルータ４０に接続されてもよい。
【００３４】
表示装置３０は、消費電力に関する各種の表示を行なうことができ、例えば、各家電の消費電力を表示する。
【００３５】
＜１．２  中継器１０の構成＞
図２〜図５を用いて、中継器１０、タップ２０、表示装置３０、電力測定装置８０の詳細な構成を説明する。図２は、中継器１０のブロック図である。中継器１０は、制御部１６と、発光部１３と、高速通信インターフェイス部１４と、電源部１５と、無線ＲＦ（Radio  Frequency）内蔵通信コントローラ部１７と、アンテナ１８と、プッシュボタン１１と、スライドスイッチ１２と、図示しないリセットスイッチとを備える。
【００３６】
無線ＲＦ内蔵通信コントローラ部１７は、ネットワークＰ上に存在する通信機器との間の通信を制御する。無線ＲＦ内蔵通信コントローラ部１７は、制御部１６との間で通信するためのＵＡＲＴ（Universal  Asynchronous  Receiver  Transmitter）１７１と、ＣＰＵ（Central  Processing  Unit）１７６と、ＲＯＭ（Read  Only  Memory）１７２と、ＲＡＭ（Random  Access  Memory）１７３と、ＧＰＩＯ（General  Purpose  Input/Output）１７５と、無線ＲＦ部１７４と、を含む。なお、本実施例では、無線ＲＦ内蔵通信コントローラ部１７は、ＺｉｇＢｅｅコーディネータとして動作するものとして説明する。無線ＲＦ内蔵通信コントローラ部１７は、アンテナ１８と接続されている。ＲＯＭ１７２と、ＲＡＭ１７３と、ＵＡＲＴ１７１と、ＧＰＩＯ１７５と、無線ＲＦ部１７４とは、それぞれ、ＣＰＵ１７６に接続されている。
【００３７】
制御部１６は、無線ＲＦ内蔵通信コントローラ部１７のＣＰＵ１７６に比べて高性能なＣＰＵを備えており、中継器１０の全体的な動作を制御する。制御部１６は、発光部１３と、高速通信インターフェイス部１４と、電源部１５と、無線ＲＦ内蔵通信コントローラ部１７と、プッシュボタン１１と、スライドスイッチ１２とに接続されている。制御部１６は、プッシュボタン１１およびスライドスイッチ１２からの入力を受け付ける。また、制御部１６は、発光部１３に発光指示を出す。
【００３８】
プッシュボタン１１とスライドスイッチ１２とは、ユーザからの操作を受け付けるための操作部材であり、中継器１０の筺体に設けられる。ユーザからの操作とは、例えば、ユーザが、タップ２０をネットワークＰに新たに参加（ジョイン）させるための操作である。この場合、中継器１０は、中継器１０とタップ２０とを対応づける（ペアリング）ために、プッシュボタン１およびスライドスイッチ１２等でユーザの操作を受け付ける。例えば、ユーザは、スライドスイッチ１２を所定の位置にスライド操作することで、中継器１０を、タップ２０とのペアリングが許可された設定にする。その後、中継器１０は、ユーザからプッシュボタン１１による操作を受け付けることで、一定期間、タップ２０のネットワークＰへの参加を受け付ける。なお、この時、タップ２０がネットワークＰに参加可能な状態であることを示すため、中継器１０は、発光部１３を発光させる。その後、ユーザが、タップ２０をコンセント９０へ差し込むこと等で、タップ２０と中継器１０とのペアリングが行われる。
【００３９】
高速通信インターフェイス部１４は、ルータ４０との間でＥｔｈｅｒｎｅｔ（登録商標）またはＷｉＦｉを用いた通信を行なうための通信インターフェイスである。電源部１５は、制御部１６と無線ＲＦ内蔵通信コントローラ部１７とに電力を供給する。
【００４０】
＜１．３  タップ２０の構成＞
次に、図３を用いてタップ２０の構成を説明する。
【００４１】
図３は、タップ２０のハードウェア構成を示す図である。タップ２０は、ソケット２２と、プラグ２３と、電源部２１と、ＬＥＤ２６と、設定ボタン２７と、アンテナ２８と、電力センサ部２４と、無線ＲＦ内蔵通信コントローラ部２５と、配線２２４と、配線２２３と、シャント抵抗２２２と、配線２２１とを備える。電力センサ部２４は、ソケット２２に接続される機器の消費電力を測定する。電力センサ部２４は、電圧入力ＡＤＣ部２４１と、電流入力ＡＤＣ部２４２と、乗算器２４３と、デジタル／周波数変換部２４４とを含む。無線ＲＦ内蔵通信コントローラ部２５は、ＣＰＵ２５５と、ＲＯＭ２５１と、ＲＡＭ２５２と、ＧＰＩＯ２５４と、無線ＲＦ部２５３とを含む。
【００４２】
配線２２３と配線２２１とは、シャント抵抗２２２により接続されている。シャント抵抗２２２は電流を測定するために使われる微小な抵抗（例えば、数百マイクロΩ）である。
【００４３】
ソケット２２とプラグ２３とは、配線２２１、２２３、２２４およびシャント抵抗２２２で接続されている。配線２２４は、プラグ２３の一方の端子およびソケット２２の一方の端子に接続されている。配線２２３は、プラグ２３の他方の端子とシャント抵抗２２２の一方の端部とに接続されている。配線２２１は、ソケット２２の他方の端子とシャント抵抗２２２の他方の端部とに接続されている。
【００４４】
電源部２１は、配線２２３に接続されている。電源部２１は、交流を直流に変換する。電源部２１は、変換により得られた直流電力を電力センサ部２４と無線ＲＦ内蔵通信コントローラ部２５とに与える。
【００４５】
電圧入力ＡＤＣ部２４１は、配線２２４と、配線２２３とに接続されている。電圧入力ＡＤＣ部２４１は、配線２２４と配線２２３との間の電圧（電位差）を、デジタル信号にて乗算器２４３に出力する。
【００４６】
電流入力ＡＤＣ部２４２は、配線２２３と、配線２２１とに接続されている。電流入力ＡＤＣ部２４２は、シャント抵抗２２２に流れる電流の電流値を、デジタル信号にて乗算器２４３に出力する。
【００４７】
乗算器２４３は、電圧入力ＡＤＣ部２４１からの出力と、電流入力ＡＤＣ部２４２からの出力とを乗算する。この乗算によって、電力センサ部２４は、ソケット２２に接続される機器の消費電力を測定する。乗算器２４３は、当該乗算により得られたデジタル信号をデジタル／周波数変換部２４４に出力する。
【００４８】
デジタル／周波数変換部２４４は、入力されたデジタル信号を周波数信号に変換する。デジタル／周波数変換部２４４は、変換により得られた周波数信号を、無線ＲＦ内蔵通信コントローラ部２５のＧＰＩＯ２５４に出力する。
【００４９】
ＣＰＵ２５５は、ＧＰＩＯ２５４から取得した上記周波数信号をデータ変換する。無線ＲＦ部２５は、ＣＰＵ２５５のデータ変換により得られた信号を、アンテナ２８を用いて中継器１０に送信する。
【００５０】
ＲＯＭ２５１は、ＣＰＵ２５５が実行するプログラム等を格納する。
ＬＥＤ２６は、タップ２０のデータ処理状態を、点滅等によりユーザへ通知する。設定ボタン２７は、ユーザによるタップ２０の初期設定等を受け付けるための操作部材である。
【００５１】
なお、本実施例では、無線ＲＦ内蔵通信コントローラ部２５は、ルータとして機能するものとして説明する。
【００５２】
＜１．４  表示装置３０の構成＞
次に、図４を用いて表示装置３０の構成を説明する。図４は、表示装置３０のハードウェア構成を表した図である。
【００５３】
表示装置３０は、タッチスクリーンを備えたタブレット端末である。表示装置３０は、メモリ３１と、ボタン３２と、通信インターフェイス３３と、スピーカ３４と、時計３５と、タッチスクリーン３６と、ＣＰＵ３７と、を含む。タッチスクリーン３６は、ディスプレイ（モニタ）３６１と、タッチパネル３６２とで構成される。
【００５４】
メモリ３１は、各種のＲＡＭ、ＲＯＭ、フラッシュメモリ、ハードディスクなどによって構成される。メモリ３１は、ＣＰＵ３７が実行するプログラム（ＯＳなど各種の制御プログラム）と、ＣＰＵ３７が読み出す各種データテーブルとを格納する。たとえば、メモリ３１は、タップ２０に対して設定（再設定）を行なうためのアプリケーションをフラッシュメモリによって記憶する。なお、当該アプリケーションは、ユーザからのリクエストに応じてタップ２０の設定を行なう。メモリ３１は、後述する分電盤電力測定情報１１０と、部屋識別テーブル１２０と、消費電力管理テーブル１３０とを記憶する。
【００５５】
ＣＰＵ３７は、メモリ３１に記憶されている各種のプログラムを実行することによって、供給電力値取得部３７１、測定結果取得部３７２、差分算出部３７３、表示制御部３７４の機能を発揮して表示装置３０の動作を制御する。供給電力値取得部３７１は、電力測定装置８０の測定結果（分電盤６０からコンセント９０へと供給される電力の電力値）を、通信インターフェイス３３を介して中継器１０から取得する。測定結果取得部３７２は、タップ２０が測定する消費電力の測定結果を、通信インターフェイス３３を介して中継器１０から取得する。差分算出部３７３は、供給電力値取得部３７１および測定結果取得部３７２の取得結果に基づいて、タップ２０に未接続の機器の消費電力を算出する。表示制御部３７４は、ディスプレイ３６１の表示内容を制御し、差分算出部３７３の算出結果に基づいて、タップ２０に未接続の機器の消費電力をディスプレイ３６１に表示する。
【００５６】
ディスプレイ３６１は、ＣＰＵ３７の制御に従って駆動し、映像信号に基づいて画像や映像を表示する。例えば、ディスプレイ３６１は、家電５の消費電力や、ユーザの操作を受け付ける操作画面等を表示する。タッチパネル３６２は、ユーザの指によるタッチ操作を検出して、タッチ座標などをＣＰＵ３７に入力する。ＣＰＵ３７は、タッチパネル３６２を介して、ユーザからの命令を受け付ける。
【００５７】
ボタン３２は、表示装置３０の筺体の表面に配置され、ユーザからの操作を受け付ける。ボタン３２は、例えば、方向キー、決定キーなどであり、ユーザの操作に応じて操作信号をＣＰＵ３７に入力する。
【００５８】
通信インターフェイス３３は、ＣＰＵ３７によって制御され、ルータ４０を介して、中継器１０と、電力測定装置８０と通信する。通信インターフェイス３３は、上述したように、たとえばＷｉＦｉ規格に従って、ルータ４０と通信する。
【００５９】
スピーカ３４は、ＣＰＵ３７からの命令に基づいて、音声を出力する。たとえば、ＣＰＵ３７は、音声データに基づいて、スピーカ３４に音声を出力させる。時計３５は、ＣＰＵ３７からの命令に基づいて、現在の日付や時刻をＣＰＵ３７に入力する。
【００６０】
ＣＰＵ３７は、メモリ３１に記憶されている各種のプログラムを実行することによって、各種の情報処理などを実行する。
【００６１】
＜１．５  電力測定装置８０の構成＞
次に、図５を用いて電力測定装置８０の構成を説明する。図５は、電力測定装置８０のハードウェア構成を示す図である。
【００６２】
電力測定装置８０は、Ｉ／Ｏ８１と、ＲＯＭ８２と、ＲＡＭ８３と、無線ＲＦ部８４と、アンテナ８５とを含む。電力測定装置８０は、ＣＴセンサ７０（ＣＴセンサ７０Ａ、ＣＴセンサ７０Ｂ、ＣＴセンサ７０Ｃ）の出力（分電盤からコンセント９０等へ電力を供給するための配線を流れる電流値）を受け付けて、それぞれの配線について、分電盤６０からコンセント９０へ供給される電力値を算出し、算出結果を中継器１０へ無線通信によって送信する。
【００６３】
Ｉ／Ｏ８１は、ＣＴセンサ７０から出力される出力値を受け付けてＣＰＵ８６へ出力する。ＲＯＭ８２は、ＣＰＵ８６が実行するプログラム等を格納する。ＲＡＭ８３は、ＣＰＵ８６がプログラムの実行等に伴って使用するメモリ領域であり、ＣＰＵ８６が読み出したプログラムやデータを記憶する。無線ＲＦ部８４は、アンテナ８５を介した無線通信によって送受信する信号の周波数を変換する。
【００６４】
＜２  データ＞
次に、図６〜図８を用いて、本実施形態の表示装置３０が使用するデータについて説明する。図６は、分電盤電力測定情報１１０を示す図である。表示装置３０は、分電盤電力測定情報１１０を管理することで、ブレーカ単位で消費電力の合計値を管理する。電力測定装置８０は、各ブレーカについて、コンセント９０へ供給される電力値を算出し、算出結果を中継器１０へ送信する。中継器１０は、この算出結果を表示装置３０へ転送する。表示装置３０は、中継器１０による中継（転送）を経て、電力測定装置８０から、分電盤６０のブレーカごとに、コンセント９０と接続する各家電機器の消費電力の測定結果を通信インターフェイス３３によって受信し、この測定結果を分電盤電力測定情報１１０としてメモリ３１に保持する。分電盤電力測定情報１１０の１件のレコードは、ブレーカＩＤ１１１と、消費電力１１２とから構成される。
【００６５】
図７は、部屋識別テーブル１２０を示す図である。表示装置３０は、部屋識別テーブル１２０をメモリ３１において保持しており、ブレーカＩＤと部屋ＩＤとの対応関係を管理する。部屋識別テーブル１２０の１件のレコードは、ブレーカＩＤ１２１と、部屋ＩＤ１２２と、部屋名１２３と、部屋の場所１２４とから構成される。
【００６６】
ブレーカＩＤ１２１は、分電盤６０のブレーカそれぞれを識別するための識別番号である。部屋ＩＤ１２２は、ブレーカＩＤ１２１に示されるブレーカが電力を供給するためのコンセント９０等が設置される場所（部屋）の識別番号を示す。部屋名１２３は、部屋ＩＤ１２２に示される識別番号の名称を示す。例えば、部屋ＩＤ１２２の識別番号が「１」の場所の名称は、「リビング」である。部屋の場所１２４は、部屋ＩＤ１２２に示される識別番号の場所を示す。
【００６７】
なお、ブレーカＩＤ１２１と部屋ＩＤ１２２とは、予めユーザの操作等により対応づけられている。例えば、ＣＴセンサ７０の設置時に、ユーザは、ブレーカＩＤ１２１と、部屋ＩＤ１２２との対応関係を、表示装置３０のタッチスクリーン３６によって入力する。表示装置３０は、この入力結果をメモリ３１に保持する。
【００６８】
図８は、消費電力管理テーブル１３０を示す図である。消費電力管理テーブル１３０の１件のレコードは、タップＩＤ１３１と、家電名１３２と、部屋ＩＤ１３３と、消費電力１３４と、画像ＩＤ１３５とから構成される。タップＩＤ１３１は、タップ２０それぞれを識別するための識別番号を示す。家電名１３２は、タップ２０それぞれに接続される家電機器の種類を示す。部屋ＩＤ１３３は、タップＩＤ１３１に示されるタップ２０が設置される場所（部屋）を識別するための識別番号を示す。消費電力１３４は、タップ２０によって測定され、中継器１０を介して表示装置３０へ送信される家電機器５それぞれの消費電力を示す。画像ＩＤ１３５は、家電名１３２に示される機器を示す画像である。
【００６９】
表示装置３０は、消費電力管理テーブル１３０をメモリ３１において保持しており、タップ２０のそれぞれに接続される家電機器５と、この家電機器５が消費する消費電力と、タップ２０が設置される場所（部屋）とを対応づけて記憶する。ユーザは、予め、タップ２０と、タップ２０に接続される家電機器５とを対応づける操作を、表示装置３０のタッチスクリーン３６によって行う。これにより、消費電力管理テーブル１３０において、タップＩＤ１３１と家電名１３２とが対応づけられる。また、タップＩＤ１３１と、部屋ＩＤ１３３とは、予め、ユーザがタップを設置した場所を表示装置３０のタッチスクリーン３６によって入力すること等により、対応づけられている。例えば、ユーザがタップ２０をコンセント９０に接続した際に、ユーザは、タップＩＤ１３１と、部屋ＩＤ１３３との対応関係を、表示装置３０のタッチスクリーン３６によって入力する。各タップが測定する消費電力は、各タップから中継器１０へと送信される。表示装置３０は、中継器１０と通信することで、各タップの消費電力を取得する。
【００７０】
なお、タップＩＤ１３１において、所定の識別番号以降のデータ領域（図８の例では、タップＩＤ１３１が「２４０」以降の識別番号のデータ）は、タップ２０に未接続の機器の消費電力を格納するためのデータ領域である。図８の例では、各ブレーカから電力を供給するためのコンセント９０の設置場所（部屋ＩＤ１３３）を単位として、各ブレーカから供給される電力の合計と、部屋ＩＤ１３３に示される各タップの消費電力の合計との差分を消費電力１３４に格納する。例えば、図７の例では、表示装置３０は、部屋識別テーブル１２０の部屋ＩＤ１２２が「１」のレコードを抽出し（ブレーカＩＤ１２１が「１」および「２」のレコード）、このレコードに対応するブレーカＩＤ１２１の消費電力を、分電盤電力測定情報１１０を参照して抽出する。また、表示装置３０は、消費電力管理テーブル１３０の部屋ＩＤ１３３が「１」のレコードを抽出し、このレコードに対応する各機器の消費電力の合計を算出する。これらの差分を算出することにより、表示装置３０は、コンセント９０の設置場所（部屋ＩＤ１３３）を単位として、タップ２０に未接続の機器の消費電力の合計を、部屋ＩＤ１３３に示される各部屋について消費電力１３４に格納する。例えば、表示装置３０は、部屋ＩＤ１３３に「１」と示される部屋において、タップ２０に未接続の機器の消費電力の合計が、タップＩＤ１３１の「２４０」のレコード（家電名１３２が「その他（リビング）」）に格納される。
【００７１】
なお、図８の例では、タップＩＤ１３１が「２５５」のデータ（「その他（家全体）」）は、分電盤６０から各部屋のコンセント９０へ供給される電力の合計値を示す。例えば、表示装置３０は、電力測定装置８０から受け付ける各ブレーカの供給電力の合計値を算出することで、各部屋に供給される電力の合計値を取得する。
【００７２】
＜３  動作＞
次に、図９〜図１１を用いて、本実施形態の表示装置３０の動作について説明する。
【００７３】
図９は、ネットワークＰおよびネットワークＱにおけるシーケンスチャートである。ステップＳ２において、ユーザの指示に基づき、表示装置３０は、動作モードを非リアルタイム表示モードからリアルタイム表示モードに変更する。リアルタイム表示モードとは、家電機器５の消費電力を、予め設定された時間間隔（レポート送信間隔）に従って、逐次、表示装置３０のディスプレイに表示するモードである。
【００７４】
ステップＳ４において、表示装置３０は、レポート開始指令を中継器１０に送信する。
ステップＳ８において、中継器１０は、受信したレポート開始指令を中継し、当該レポート開始指令をタップ２０に送信する。
【００７５】
ステップＳ１０において、タップ２０は、受信したレポート開始指令に基づき、レポート条件を設定する。レポート条件は、例えば、一定の時間間隔ｔ０（たとえば５秒間隔）でレポート送信する等のレポート送信の条件を示す。
【００７６】
ステップＳ１２において、タップ２０は、レポート送信条件（一定の時間間隔ｔ０）に従ってレポートを送信する。中継器１０は、タップ２０から送られてきたレポートを表示装置３０に転送（中継）する。これにより、表示装置３０は、タップ２０から送信されるレポートを受信し、レポートに示されるタップ２０それぞれの消費電力を消費電力管理テーブル１３０に格納するとともに、タップ２０それぞれで測定される電力使用状況をリアルタイムに表示することができる。
【００７７】
図１０は、電力測定装置８０から表示装置３０へ、各ブレーカの電力をレポートする動作を示すシーケンスチャートである。
【００７８】
ステップＳ２２において、電力測定装置８０は、ＣＴセンサ７０の出力値に基づく測定結果を表示装置３０へ送信するための送信条件を設定する。例えば、電力測定装置８０は、ＣＴセンサ７０から電力測定装置８０へと出力が行われる間隔（ｔ１とする）にあわせて送信時間間隔を送信条件として設定する。
【００７９】
ステップＳ２４において、電力測定装置８０は、送信条件（送信時間間隔ｔ１）に従ってレポートを送信する。中継器１０は、電力測定装置８０から送信されるレポートを、表示装置３０へ転送（中継）する。これにより、表示装置３０は、電力測定装置８０から送信されるレポートを受信し、レポートに示される各ブレーカの消費電力を、分電盤電力測定情報１１０へ格納する。
【００８０】
図１１は、表示装置３０が、タップ２０に接続される機器の消費電力と、タップ２０に未接続の機器の消費電力とを表示するための処理を示すフローチャートである。表示装置３０は、予め設定された時間間隔で、部屋ごとに、タップ２０に接続される家電機器の消費電力、および、タップ２０に未接続の機器の消費電力をリアルタイム表示する。
【００８１】
ステップＳ３１において、表示装置３０のＣＰＵ３７は、各機器の消費電力を表示するための時間間隔を示す表示時間設定をメモリ３１から読み出す。
【００８２】
ステップＳ３３において、ＣＰＵ３７は、消費電力管理テーブル１３０を参照し、タップ２０に接続される各家電機器の消費電力を、部屋ＩＤ１３３に示されるタップ２０の設置場所（部屋ＩＤ）ごとに読み出す。これにより、ＣＰＵ３７は、部屋ＩＤごとに、タップ２０に接続される家電機器の消費電力を取得する。
【００８３】
ステップＳ３５において、ＣＰＵ３７は、部屋ＩＤに対応するブレーカＩＤ１２１を部屋識別テーブル１２０から抽出し、抽出されたブレーカＩＤの合計消費電力を、分電盤電力測定情報１１０を参照して算出する。こうすることで、ＣＰＵ３７は、タップに未接続の機器も含めて、部屋ＩＤに示される場所の消費電力の合計を算出する。ＣＰＵ３７は、部屋ＩＤごとに、部屋ＩＤに対応する場所の消費電力の合計と、ステップＳ３３の処理で得られる、タップ２０に接続される家電機器の消費電力との差分を算出する。これにより、ＣＰＵ３７は、部屋ＩＤごとに、タップ２０に未接続の機器の消費電力合計を取得する。
【００８４】
ステップＳ３７において、ＣＰＵ３７は、ステップＳ３５で部屋ＩＤごとに算出した差分を、部屋ＩＤそれぞれについて、タップ２０に未接続の機器の合計の消費電力として消費電力管理テーブル１３０に格納する。例えば、図８に示すように、部屋ＩＤが「１」においてタップ２０に未接続の機器の合計の消費電力を、タップＩＤ１３１の「２４０」のレコードに格納する。
【００８５】
ステップＳ３９において、ＣＰＵ３７は、部屋ＩＤそれぞれについて、タップ２０に接続される家電機器と、タップ２０に未接続の機器とを消費電力管理テーブル１３０から抽出し、消費電力の高いものから順に並び変えてメモリ３１に格納する。
【００８６】
ステップＳ４１において、ＣＰＵ３７は、部屋ＩＤに示される部屋ごとに、ステップＳ３９で並び変えた順に、画像ＩＤ１３５に示される画像とともに、タップ２０に接続される家電機器およびタップ２０に未接続の機器をディスプレイ３６１に表示する。
【００８７】
ステップＳ４３において、ＣＰＵ３７は、消費電力のリアルタイム表示を終了する操作を受け付けたか否か判定し、リアルタイム表示を終了するまで（ステップＳ４７：ＹＥＳ）、上記の処理を、ステップＳ３１で読み出した時間間隔に従って繰り返す。
【００８８】
図１２は、表示装置３０のディスプレイ３６１の表示例を示す図である。図１２（Ａ）は、タップ２０に接続されない機器の消費電力を表示しない場合のディスプレイ３６１の表示例を示している。ディスプレイ３６１は、ある部屋について、タップ２０に接続される機器の消費電力を表示する。図１２（Ａ）では、ディスプレイ３６１は、部屋全体の消費電力１４１と、家全体の消費電力１４２と、各家電機器の画像１４３と、消費電力１４４（エアーコンディショナー画像１４３Ａ、エアーコンディショナー消費電力１４３Ｂ、冷蔵庫画像１４４Ａ、冷蔵庫消費電力１４４Ｂ）とを表示する。部屋全体の消費電力１４１は、部屋ＩＤに示される場所の消費電力の合計を示す。家全体の消費電力１４２は、分電盤６０から各部屋のコンセント９０へ供給される電力の合計値を示す。各家電機器の画像１４３は、タップ２０に接続される家電機器の画像を示す。消費電力１４４は、タップ２０の測定結果を示す。
【００８９】
図１２（Ｂ）は、タップ２０に接続されない機器の消費電力を表示する例を示す図である。ディスプレイ３６１は、その他機器表示画像１４５Ａと、その他機器消費電力１４５Ｂとを表示する。その他機器表示画像１４５Ａは、消費電力の表示対象が、タップ２０に未接続の機器であることを示す画像である。その他機器消費電力１４５Ｂは、部屋ＩＤに示される場所において、タップ２０に未接続の機器の消費電力の合計を示す。
【００９０】
図１２（Ａ）と図１２（Ｂ）とを参照すると、本実施形態のように、タップ２０に未接続の機器の消費電力がディスプレイ３６１に表示されている場合、ユーザは、ディスプレイ３６１を確認することで、タップ２０に未接続の機器も含めていずれの機器の消費電力が大きいかを容易に把握することができる。
【００９１】
すなわち、（１）ユーザは、タップ２０で検出される家電機器以外の機器についても、容易に消費電力の合計を確認することができ、省エネルギーを意識しやすくなる。（２）タップ２０で検出される家電機器の消費電力が頻繁に変化する場合においても、ユーザは、タップ２０に未接続の機器の消費電力を容易に確認することができる。（３）ユーザは、節電効果が得られやすい機器が、タップ２０に接続されている家電機器か、またはタップ２０に未接続の機器であるかを容易に判断することができる。そのため、ユーザは、タップ２０を追加するべきか否か、タップ２０に接続する機器を変更するべきかを容易に判断できる。（４）タップ２０に未接続の機器の消費電力を表示するため、消費電力の合計が算出されている範囲（ある部屋）に設置される家電機器の数が頻繁に変動しない場合、その範囲において設置するタップ２０の数は、家電機器の数より一つ少なくてよい。
【００９２】
なお、表示装置３０は、タップ２０に未接続の機器について、機器の名称の指定と、画像の指定とをユーザから受け付けることとしてもよい。例えば、上記のように消費電力管理テーブル１３０のタップＩＤ１３１は、タップ２０に未接続の機器の消費電力を格納するためのデータ領域を含んでいる。このデータ領域に対応する家電名１３２と画像ＩＤ１３５とを、ユーザによって編集可能としてもよい。ユーザは、タップ２０に未接続の機器の画像等を指定することで、表示装置３０において、未接続の機器がいずれの機器であるかを確認しつつ、このタップ２０に未接続の機器の消費電力を容易に確認することができる。
【００９３】
図１３は、タップ２０に未接続の機器の画像を変更するための操作画面の例を示す図である。ＣＰＵ３７は、ディスプレイ３６１において、ユーザが画像を選択するための選択領域１４７に、選択候補となる画像１４８（画像１４８Ａ、画像１４８Ｂ）を表示する。ユーザは、選択領域１４７に表示される画像１４８を選択することで、その他機器表示画像１４５Ａに示される画像を変更することができる。
【００９４】
次に、図１４および図１５を用いて、表示装置３０が、タップ２０に接続する機器の再設定をユーザに促す処理を説明する。図１４は、表示装置３０が、ユーザに対しタップ２０に接続される機器の設定が効率的であるか判定する処理を示すフローチャートである。表示装置３０は、消費電力管理テーブル１３０において、タップ２０に接続される家電機器およびタップ２０に未接続の機器の消費電力を管理しており、一定期間にわたって消費電力の履歴を保持するものとする。
【００９５】
表示装置３０は、この履歴において、タップ２０に未接続の機器の消費電力の合計と、タップ２０に接続される機器の消費電力の合計とに基づいて、ユーザに対し、タップ２０に接続する機器の再設定を促すようディスプレイ３６１に表示する。これにより、ユーザは、各機器の消費電力の履歴に基づいて、タップ２０に接続する機器の設定や、タップ２０の追加等を判断することができ、効率的に各機器の消費電力を把握することができる。
【００９６】
ステップＳ５１において、ＣＰＵ３７は、消費電力管理テーブル１３０を参照し、タップ２０に接続される家電機器およびタップ２０に未接続の機器の、一定期間における消費電力の合計値を取得する。
【００９７】
ステップＳ５３において、ＣＰＵ３７は、タップ２０に接続される家電機器およびタップ２０に未接続の機器について、一定期間における消費電力が大きい順にタップＩＤを並び変える。
【００９８】
ステップＳ５５において、ＣＰＵ３７は、ステップＳ５３の並び替え処理の結果、タップ２０に未接続の機器の消費電力の合計が最も大きいか判定し、最も大きいとの判定結果の場合はステップＳ５７の処理を実行する。
【００９９】
ステップＳ５７において、ＣＰＵ３７は、タップ２０に接続する家電機器を、他の家電機器にするよう付け替える提案、または、タップ２０を追加する提案を示す画面をディスプレイ３６１に表示し、ユーザの操作を受け付ける。
【０１００】
ステップＳ５５において否定的な判定結果（タップ２０に未接続の機器の消費電力の合計が最大でない）の場合、ＣＰＵ３７は、ステップＳ５９の処理を実行する。ステップＳ５９において、ＣＰＵ３７は、タップ２０と家電機器との接続が効率的である旨を示す画面をディスプレイ３６１に表示する。
【０１０１】
図１５は、一定期間の消費電力の履歴に応じてタップ２０の再設定を促す画面の表示例を示す図である。図１５（Ａ）は、図１４のステップＳ５７の処理によって、ＣＰＵ３７がタップ２０と接続する家電機器の付け替えまたはタップ２０の追加を促す画面の表示例を示す。ディスプレイ３６１は、タップ接続の再設定を促す部屋を、再設定対象１５１において表示する。ディスプレイ３６１は、再設定対象１５１が示す部屋において、消費電力の大きい機器の順に、機器リスト１５２に各機器を表示する。表示装置３０は、再設定対象１５１に示される部屋の名称を、部屋識別テーブル１２０を参照して取得する。
【０１０２】
図１５（Ａ）の例では、タップ２０に未接続の機器の消費電力が最も大きい場合が表示されている。ディスプレイ３６１は、操作受付領域１５３において、タップ２０に接続する家電機器の再設定（付け替え）か、タップ２０を追加するかのユーザの操作を受け付ける。なお、操作受付領域１５３は、図１５（Ａ）の例では、タップ２０を付け替える機器の候補として、既にタップ２０と接続されている機器「電話」を表示している。
【０１０３】
図１５（Ｂ）は、図１４のステップＳ５９の処理によって、タップ２０と家電機器との接続が効率的である旨、ＣＰＵ３７が画面表示する場合の表示例を示す。図１５（Ｂ）の例では、ＣＰＵ３７は、表示対象部屋１６１に示される部屋において、機器リスト１６２において消費電力の大きい機器の順に表示する。図１５（Ｂ）の例では、タップ２０に接続される機器の消費電力は、「エアコン」「冷蔵庫」よりも小さいものとしている。表示領域１６３は、タップと家電機器との接続が効率的であることを示す。
【０１０４】
＜４  変形例＞
このように各実施形態について説明してきたが、これら実施形態を組み合わせてもよいことはいうまでもない。また、以下のように実施形態を変形してもよい。
【０１０５】
例えば、ネットワークＰにおいて、各機器が通信するために、Ｚ−ＷＡＶＥ（登録商標）、Ｂｌｕｅｔｏｏｔｈ（登録商標）、特定小電力無線などを用いることができる。また例えば、ネットワークＰやネットワークＱにＰＬＣ（Power  Line  Communications）などを用いることとしてもよい。上記実施形態では、タップ２０はコンセント９０に接続されているため、ＰＬＣによって中継器１０またはルータ４０と通信することもできる。
【０１０６】
また、無線ＲＦ内蔵通信コントローラ部１７は、ＺｉｇＢｅｅルータとして動作させてもよい。その場合、ネットワークＰ上に存在する他の通信機器から常に受信可能であるように設定しておく。
【０１０７】
表示装置３０における処理は、表示装置３０のハードウェアおよびＣＰＵ３７により実行されるソフトウェアによって実現される。このようなソフトウェアは、メモリ３１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【０１０８】
このようなソフトウェアは、図示しない読取装置を利用することによってその記憶媒体から読み取られて、あるいは、通信インターフェイス３３を利用することによってダウンロードされて、メモリ３１に一旦格納される。ＣＰＵ３７は、ソフトウェアを実行可能なプログラムの形式でメモリ３１に格納してから、当該プログラムを実行する。
【０１０９】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク
、磁気テープ、カセットテープ、ＭＯ（Magnetic  Optical  Disc）、ＭＤ（Mini  Disc
）、ＩＣ（Integrated  Circuit）カード（メモリカードを除く）、光カード、マスクＲ
ＯＭ、ＥＰＲＯＭ、ＥＥＰＲＯＭ（Electronically  Erasable  Programmable  Read-Only  Memory）などの、不揮発的にプログラムを格納する媒体（一時的ではない媒体）が挙
げられる。ここでいうプログラムとは、ＣＰＵにより直接実行可能なプログラムだけでなく、ソースプログラム形式のプログラム、圧縮処理されたプログラム、暗号化されたプログラム等を含む。
【０１１０】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１１１】
５  家電機器、１０  中継器、１１  プッシュボタン、１２  スライドスイッチ、１３  発光部、１４  高速通信インターフェイス部、１５  電源部、１６  制御部、１７  無線ＲＦ内蔵通信コントローラ部、１８  アンテナ、２０  タップ、３０  表示装置、３１  メモリ、３２  ボタン、３３  通信インターフェイス、３４  スピーカ、３５  時計、３６  タッチスクリーン、３７  ＣＰＵ、４０  ルータ、５０  ＰＣ、６０  分電盤、７０  ＣＴセンサ、８０  電力測定装置、８１  Ｉ／Ｏ、８２  ＲＯＭ、８３  ＲＡＭ、８４  無線ＲＦ部、８５  アンテナ、８６  ＣＰＵ、９０  コンセント、１１０  分電盤電力測定情報、１１１  ブレーカＩＤ、１１２  消費電力、１２０  部屋識別テーブル、１２１  ブレーカＩＤ、１２２  部屋ＩＤ、１２３  部屋名、１２４  部屋の場所、１３０  消費電力管理テーブル、１３１  タップＩＤ、１３２  家電名、１３３  部屋ＩＤ、１３４  消費電力、１３５  画像ＩＤ、３６１  ディスプレイ、３６２  タッチパネル、１７１  ＵＡＲＴ、１７２  ＲＯＭ、１７３  ＲＡＭ、１７４  無線ＲＦ部、１７５  ＧＰＩＯ、１７６  ＣＰＵ。
【図１】
2014055798.tif 000003
【図２】
2014055798.tif 000004
【図３】
2014055798.tif 000005
【図４】
2014055798.tif 000006
【図５】
2014055798.tif 000007
【図６】
2014055798.tif 000008
【図７】
2014055798.tif 000009
【図８】
2014055798.tif 000010
【図９】
2014055798.tif 000011
【図１０】
2014055798.tif 000012
【図１１】
2014055798.tif 000013
【図１２】
2014055798.tif 000014
【図１３】
2014055798.tif 000015
【図１４】
2014055798.tif 000016
【図１５】
2014055798.tif 000017